(57)【要約】【課題】電力が失われた時に主な光源が消え、別個の補助非常用予備が点灯する構成において生じる別個の補助システムの追加コスト等の不都合を解消すること。【解決手段】ＬＥＤ照明パッケージ３００の例示的実施形態では、パッケージ３００は、建物配線（ｂｕｉｌｄｉｎｇ  ｗｉｒｉｎｇ）等の電力線により電力が供給される第１の通常電力モードで、通常の仕方で動作する。この動作モードでは、５つの列の５０個すべてのＬＥＤが発光され、通常の部屋のアンビエント照明を実現する。停電中に通常の電力が失われる場合、その電力ロスが検知され、パッケージ３００は、電池（ｂａｔｔｅｒｙ）により電力が供給される第２のモードで動作する。この補助電池モードでは、ＬＥＤ列のうちの１つのみが発光され、建物の占有者等が安全に出口に移動して建物から出ることができるように非常照明が与えられる。【選択図】図３
2008270212.tif 000002
【特許請求の範囲】
【請求項１】
部屋のアンビエント照明および補助非常照明の両方を提供する統合されたＬＥＤ照明パッケージであって、
交流電源から電力を供給され、通常の動作モードにおいてアンビエント照明を提供するＬＥＤアレイと、
補助電源と、
前記交流電源からの電力が失われると、前記ＬＥＤアレイのうちの少なくとも複数のＬＥＤに前記補助電源から電力を供給して、補助モードにおいて補助非常照明を提供する制御回路と
を備えることを特徴とするＬＥＤ照明パッケージ。
【請求項２】
前記ＬＥＤアレイのうちのＬＥＤは、複数の列として配置され、
前記通常の動作モードでは前記複数の列のすべてが発光し、前記補助モードでは前記複数の列のうちの１または複数であるが前記複数の列のすべてよりは少ない数の列が発光することを特徴とする請求項１に記載のＬＥＤ照明パッケージ。
【請求項３】
前記ＬＥＤアレイのＬＥＤは、前記通常の動作モードの間は最大電力レベルで動作し、前記補助モードの間は低減された電力レベルで動作することを特徴とする請求項１に記載のＬＥＤ照明パッケージ。
【請求項４】
前記制御回路は、パルス幅変調を用いて前記低減された電力レベルを制御することを特徴とする請求項３に記載のＬＥＤ照明パッケージ。
【請求項５】
前記補助電源は、電池を備え、
前記ＬＥＤ照明パッケージは、前記電池が使われていないときに、前記電池を実質的に完全に充電された状態に維持する充電回路をさらに備えることを特徴とする請求項１に記載のＬＥＤ照明パッケージ。
【請求項６】
前記補助電源は、電池を備え、
前記ＬＥＤ照明パッケージは、前記電池が使われた後に、前記電池を実質的に完全に充電された状態に再充電する充電回路をさらに備えることを特徴とする請求項１に記載のＬＥＤ照明パッケージ。
【請求項７】
必要に応じて補助照明を調節するためのスマート制御システムをさらに備えることを特徴とする請求項１に記載のＬＥＤ照明パッケージ。
【請求項８】
前記ＬＥＤ照明パッケージの近傍において部屋の照明を検出するためのセンサをさらに備えることを特徴とする請求項１に記載のＬＥＤ照明パッケージ。
【請求項９】
前記センサは、前記ＬＥＤ照明パッケージの近傍において検出された部屋の照明を示す出力信号を発生し、
前記出力信号は、前記制御回路により利用され、前記補助モードにおける光の出力レベルが調節されることを特徴とする請求項１に記載のＬＥＤ照明パッケージ。
【請求項１０】
人間の運動を検出する運動検出器をさらに備え、
前記制御回路は、前記運動の検出の後に、予め定めた時間の間、補助非常照明の提供を制御することを特徴とする請求項１に記載のＬＥＤ照明パッケージ。
【請求項１１】
統合されたＬＥＤ照明パッケージを用いて、部屋のアンビエント照明および補助非常照明の両方を提供する方法であって、
ＬＥＤアレイに交流電源から電力を供給して、通常の動作モードにおいてアンビエント照明を提供するステップと、
補助モードにおいて予備電源から予備電力を供給するステップと、
前記交流電源からの電力が失われると、前記ＬＥＤアレイのうちの少なくとも複数のＬＥＤに前記予備電源から電力を選択的に供給して、前記補助モードにおいて補助非常照明を提供するために制御回路を用いるステップと
を含むことを特徴とする方法。
【請求項１２】
前記ＬＥＤアレイのＬＥＤは、複数の列として配置され、
前記通常の動作モードでは前記複数の列のすべてが発光し、前記補助モードでは前記複数の列のうちの１または複数であるが前記複数の列のすべてよりは少ない数の列が発光することを特徴とする請求項１１に記載の方法。
【請求項１３】
前記ＬＥＤアレイのＬＥＤは、前記通常の動作モードの間は最大電力レベルで動作し、前記補助モードの間は低減された電力レベルで動作することを特徴とする請求項１１に記載の方法。
【請求項１４】
パルス幅変調を用いて前記低減された電力レベルを制御するステップをさらに含むことを特徴とする請求項１３に記載の方法。
【請求項１５】
前記予備電源は、電池を備え、
前記方法は、前記電池が使われていないときに、前記電池を実質的に完全に充電された状態に維持する充電回路を用いるステップをさらに含むことを特徴とする請求項１１に記載の方法。
【請求項１６】
前記予備電源は、電池を備え、
前記方法は、前記電池が使われた後に、前記電池を実質的に完全に充電された状態に再充電する充電回路を用いるステップをさらに含むことを特徴とする請求項１１に記載の方法。
【請求項１７】
スマート制御システムを用いて、必要に応じて補助照明を調節するステップをさらに含むことを特徴とする請求項１１に記載の方法。
【請求項１８】
前記ＬＥＤ照明パッケージの近傍においてセンサを用いて部屋の照明を検出するステップをさらに含むことを特徴とする請求項１１に記載の方法。
【請求項１９】
前記ＬＥＤ照明パッケージの近傍においてセンサにより検出された部屋の照明を示す出力信号を発生するステップと、
前記出力信号を前記制御回路により利用して、前記補助モードにおける光の出力レベルを調節するステップと
をさらに含むことを特徴とする請求項１１に記載の方法。
【請求項２０】
人間の運動を運動検出器により検出ステップと、
前記運動の検出の後に、予め定めた時間の間、補助非常照明の提供を制御するステップと
をさらに含むことを特徴とする請求項１１に記載の方法。
【発明の詳細な説明】
【技術分野】
【０００１】
本発明は、概して非常照明の分野における改善に関し、より詳細には、ＬＥＤ器具（ＬＥＤ  ｆｉｘｔｕｒｅ）とも呼ばれる発光ダイオードベースの照明器具を用いた非常照明に対する有利なアプローチを提供するための方法および装置に関する。
【背景技術】
【０００２】
ＬＥＤ照明装置は、現存の照明装置に対する代用品として普及しつつある。ＬＥＤは、固体照明の例であり、これらは、使用するエネルギーが少なく、より耐久性があり、より長く動作し、実質的に任意の色の光を供給するように制御可能な赤・青・緑のアレイに組み合わせることができ、かつ、鉛や水銀を含有しないので、白熱照明や蛍光照明等の従来の照明手段よりも優れている。多くの職場やその他の場所で目にする典型的な蛍光照明器具がＬＥＤにより置き換えられているが、本発明では、本発明によるＬＥＤ器具を利用してそのような器具を置き換えると同時に、一定の環境においてそのような器具と共にしばしば使用される非常照明器具を分離することができるということが認識されている。
【０００３】
一般的な蛍光照明器具の一例は、図１に示された照明器具１００である。器具１００は、複数の蛍光灯１０４、１０６、及び１０８を有する2'×4'の金属ボックス又はコンパートメント（ｃｏｍｐａｒｔｍｅｎｔ）１０２を備えることができる。ここでは2'×4'の蛍光器具が例として論じされるが、多くの他のサイズの蛍光器具および様々な白熱器具も一般的であることが理解されるだろう。バルブ１０８などの各蛍光灯は、電気ソケットに挿入され、反射性サブアセンブリ１１０内に配置される。コンパートメント１０２も、一般に反射性背面を有し、たとえば、白く塗装された内側表面や、灯に容易にアクセスして交換することを可能にするように開く、ヒンジで連結されたドア（図示せず）に備え付けられたプラスチック・カバー等である。一般的な職場では、部屋の照明のために、そのような器具がいくつか各部屋の天井に備え付けられている。例として、約12'×20'の職場には、そのような器具が天井に３つ備え付けられて、部屋のアンビエント（ａｍｂｉｅｎｔ）照明が与えられる。他の施設では、照明されるコンテキスト及び環境に合うように選択された種々の照明器具の配置が利用される。
【０００４】
【特許文献１】米国特許出願第１１／３７９７２６号明細書
【特許文献２】米国特許出願第１１／３７９７０９号明細書
【発明の開示】
【発明が解決しようとする課題】
【０００５】
しかしながら、12'×20'の職場の例を取り上げると、図２は、ドア２０２および天井に備え付けられた照明器具２０４を備える部屋２００の一角の断面図を示している。職場が、窓がない又はその他の種々の状況である場合、図２の器具２０６等の照明器具をドア２０２等の出口の上に備え付け、それにより停電中に電力が失われたときに器具２０６内の電池がハロゲンランプ２０７及び２０８を光らせて、部屋２００の占有者がドア２０２を安全に見つけて部屋を出ることを可能にする。ハロゲンランプは一般に、通常の条件下で部屋を照らす光源とは極めて異なる照明特性を有する。部屋２００を例として論じているが、ドア２０２は、長い廊下の終わりにある出口、職場を出るためのドア、内部の大きな会議室、体育館、郵便室、その他の作業領域へのドア等とすることができることが理解されるだろう。図２に示したような構成では、電力が失われた時に主な光源が消え、別個の補助非常用予備が点灯する。そのような構成には、別個の補助システムの追加コスト、そのようなシステムのメンテナンス、ある種のそのようなシステムの乏しい美的外観等を含むいくつかの不都合がある。
【課題を解決するための手段】
【０００６】
以下で論じられるように、本発明では、そのいくつかの側面の１つとして、ＬＥＤベースの非常照明システムを提供することの必要性が認識されている。
【０００７】
本発明の一態様によると、統合された発光ダイオード照明パッケージを利用して、部屋のアンビエント照明および補助非常照明の両方が与えられる。統合されたパッケージは、交流電源により電力供給され、通常の動作モードにおいてアンビエント照明を与えるＬＥＤアレイと、電池電源（ｂａｔｔｅｒｙ  ｓｕｐｐｌｙ）と、交流電源からの電力が失われると、ＬＥＤアレイのうちの少なくとも複数のＬＥＤに電池電源から電力を供給して、補助モードにおいて補助非常照明を与えるための制御回路とを備える。そのようなシステムの１つでは、ＬＥＤアレイのうちのすべてのＬＥＤ列の数未満の１又は複数の列が、補助モードにおいて最大の輝度で発光する。別の例示的システムでは、すべてのＬＥＤが発光するが、補助モードでは暗く発光する。そのようなシステムの好ましい実施形態では、ＬＥＤの調光のためにパルス幅変調が用いられる。さらにスマート・コントロール・システムでは、統合されたＬＥＤシステムが、電池により電力供給される補助ハロゲンランプで補完された典型的な蛍光照明では実現されない種々の特徴を実現することができる。
【０００８】
本発明のより完全な理解ならびに本発明の他の特徴および利点は、以下の詳細な説明、添付図面、および特許請求の範囲から明らかになるだろう。
【発明を実施するための最良の形態】
【０００９】
図３Ａは、本発明による、１フィート×１フィートの発光ダイオード照明パッケージ３００の平面図である。ＬＥＤ照明パッケージ３００は、アルミニウムなどの熱伝導性材料の基材（ｂａｃｋｉｎｇ）３１０を備える。図３に示すような基材３１０は、厚さ約１／１６インチのアルミニウムの平面シートである。その他の裏打ち構築物（ｂａｃｋｉｎｇ  ｃｏｎｓｔｒｕｃｔ）が追加の熱発散特性を提供する場合があり、基材３１０として利用することができることが理解されるだろう。たとえば特許文献１及び２は、追加の裏打ち構築物およびＬＥＤ照明パッケージの詳細に関し、それらの全体が本明細書に参照により組み込まれる。セラミックス、プラスチック等の他の熱導電性材料を使用してもよいことが理解されるだろう。アルミニウムは、その豊富さと比較的安価なコストのため好ましい。
【００１０】
ＬＥＤ照明パッケージ３００は、５つのＬＥＤ列を備える。各列は、ＰＣＢ３２０Ａ及びＰＣＢ３２０Ｂ等の２つのプリント基板（ＰＣＢ）を備える。各ＰＣＢ上には、ＬＥＤ３０１等のＬＥＤが５つ備え付けられ、電気的に直接に接続されている。各ＬＥＤは、本願出願人等から入手可能なＸＬａｍｐ（商標）７０９０とすることができる。各ＰＣＢは、正電圧端子および負電圧端子（図示せず）を備える。ＰＣＢ３２０Ａの負電圧端子は、ＰＣＢ３２０Ｂの正電圧端子に電気的に直接に接続され、したがって、一列を画定する１０個のＬＥＤが電気的に直接に接続される。２つのＰＣＢがＬＥＤの一列を構築するように示されているが、１０個のＬＥＤを有する単一のＰＣＢを特定のＬＥＤ列に用いることもできる。さらに、本明細書には特定の数および配置のＬＥＤが説明されているが、照明のコンテキスト及びＬＥＤ源の進展を考慮して、大きく異なる配置が使用される場合があり、またおそらく使用されるだろう。図３および４の実施形態では、右側に示された１０個のＬＥＤからなる２つの列が、ワイヤ３３０Ａにより並列に電気的に接続され、左側に示された２つの列が、ワイヤ３３０Ｂにより並列に接続されている。中心の列は、以下で更に論じるように、個別にワイヤされている。基材３１０は、ホワイト・グロス（ｗｈｉｔｅ  ｇｌｏｓｓ）で陽極酸化されて、ＬＥＤから放出された光を反射することが好ましい。
【００１１】
以下でより詳細に論じられるように、ＬＥＤ照明パッケージ３００の例示的実施形態では、パッケージ３００は、建物配線（ｂｕｉｌｄｉｎｇ  ｗｉｒｉｎｇ）等の電力線により電力が供給される第１の通常電力モードで、通常の仕方で動作する。この動作モードでは、５つの列の５０個すべてのＬＥＤが発光され、通常の部屋のアンビエント照明を実現する。停電中に通常の電力が失われる場合、その電力ロスが検知され、パッケージ３００は、電池（ｂａｔｔｅｒｙ）により電力が供給される第２のモードで動作する。この補助電池モードでは、ＬＥＤ列のうちの１つのみが発光され、建物の占有者等が安全に出口に移動して建物から出ることができるように非常照明が与えられる。
【００１２】
図４は、両方の動作モードの間にＬＥＤに電力を供給するためのコンポーネントの例示的配置を示す、照明パッケージ３００の底面図である。図４において、ランプ・アセンブリ３００が取り付けられるとき、ＡＣ電力リード線３０２及び３０４がランプ・アセンブリ３００をＡＣ電力源に接続する。たとえば、リード線３０２及び３０４は、アセンブリ３００が建物内の職場の天井に備え付けられる場合、建物のＡＣ配線に接続される。通常動作では、リード線３０２及び３０４を通して、ランプ・アセンブリ３００の動作を制御するプリント回路制御基板（ｐｒｉｎｔｅｄ  ｃｉｒｃｕｉｔ  ｃｏｎｔｒｏｌ  ｂｏａｒｄ）に電力が流れる。シマツ・バルブ制御（Ｓｈｉｍａｔｓｕ  ｖａｌｖｅ  ｒｅｇｕｌａｔｅｄ）鉛酸蓄電池ＮＰ３．２−６．６Ｖ３．２Ａｈ等の予備電池３２０は、通常の電力が供給されているときは充電回路によりその電荷が維持される。ＬＥＤ  Ｄｙｎａｍｉｃｓ，Ｉｎｃ．の一部門であるＬｕｘＤｒｉｖｅ（商標）からの４０１５  Ｂｏｏｓｔ  Ｐｕｃｋ等のＬＥＤ駆動回路３３０が、図７と関連して以下に詳細に論じる電池動作の間に、ランプ・アセンブリ３００のＬＥＤに電力を供給する。プリント基板３１０、予備電池３２０、およびＬＥＤ駆動回路３３０はすべて、ランプ・アセンブリ３００の底面に付着された備え付けブラケット（ｍｏｕｎｔｉｎｇ  ｂｒａｃｋｅｔ）３４０に備え付けられている。
【００１３】
図５は、２フィート×２フィートのＬＥＤ照明パッケージ５００を示す平面図である。ＬＥＤ照明パッケージ５００は、２０個のＬＥＤからなる６つの列５０５Ａ〜５０５Ｆを備える。特定の列のＬＥＤは、その列の中の最近接のＬＥＤと直列に電気的に接続されている。以下でより詳細に論じられるが、ＬＥＤ照明パッケージ５００の例示的実施形態において、パッケージ５００は、ＡＣ電力線から電力が供給される第１の通常電力モードで、通常の仕方で動作する。この動作モードでは、６つの列の１２０個すべてのＬＥＤが発光され、通常の部屋のアンビエント照明が与えられる。停電中に通常の電力が失われる場合、その電力ロスが検知され、パッケージ５００は、電池により電力が供給される第２のモードで動作する。そして、すべてのＬＥＤが低減された電力で発光され、建物の占有者等が出口に移動して電力を失った領域から安全に出るための照明が与えられる。ＬＥＤの電力出力の調光は、ＬＥＤに供給される電力のパルス幅変調（ＰＣＭ）を用いてなされることが好ましい。
【００１４】
図６は、ＬＥＤ照明パッケージ５００の底面図である。図６では、ランプ・アセンブリ５００が取り付けられるときに、ＡＣ電力リード線５０２及び５０４がランプ・アセンブリ５００をＡＣ電力源に接続する。たとえばリード線５０２及び５０４は、アセンブリ５００が建物内の職場の天井に備え付けられるときに、建物のＡＣ配線に接続される。通常動作では、ＡＣ電力が、リード線５０２及び５０４を通してランプ・アセンブリ５００の動作を制御するプリント板５１０に流れる。先述したシマツ・バルブ制御鉛酸蓄電池等の予備電池５２０は、通常電力が供給されるときにその電荷が維持される。ＬＥＤ駆動回路５３０は、ＡＣ電力をＤＣに変換し、その電力をランプ・アセンブリ５００のＬＥＤに供給する。電力が失われると、電池電力が駆動回路およびＬＥＤに供給される。プリント板５１０、予備電池５２０、および駆動回路５３０はすべて、ランプ・アセンブリ５００の底面に備え付けられた備え付けブラケット５４０の上に備え付けられる。
【００１５】
ＬＥＤ照明パッケージの大きさを画定する寸法、材料、ＬＥＤの数等は例示的であり、参照により先に組み込まれた２つの応用に示されたもの又はそれらの代替物などのその他のパッケージを使用して、特定の照明環境およびコンテキストに適合することができる。
【００１６】
図７は、図３のランプ・アセンブリ３００と共に使用するための例示的制御回路７００のさらなる詳細を示している。図７では、リード線７０２および７０４が、１１０ＶのＡＣ入力に接続された状態で示されている。これらのリード線はまた、電池充電回路７１０に接続され、電池充電回路７１０は、６Ｖ、４．５アンペア時の鉛酸蓄電池７２０に接続されている。リード線７０２および７０４はまた、ＨＰＤ００１等の３つのＬＥＤ駆動回路７３０、７４０及び７５０に接続されている。３つのＬＥＤ回路は、図７に示した、１０個のＬＥＤからなる５つの列を駆動する。駆動回路７３０は、２つの列を駆動する。駆動回路７５０は、２つの列を駆動する。駆動回路７４０は、１つの列を駆動する。電池動作では、電池電力が、ＬＥＤドライバ７６０を通して電池７２０から、ランプ・アセンブリ３００の１０個のＬＥＤからなる中心の列等の単一の列を駆動する駆動回路７４０に、供給される。図７は例示的制御回路を示しているが、種々の代替制御システムを用いることができることが理解されるだろう。図８のプロセッサベースのシステム等のより複雑な制御システムを用いてもよい。しかしながら、いくつかの用途では極めて簡単な制御構成を用いてもよい。例として、適切に大きさを定められたキャパシタで電池を置き換えてもよい。通常電力動作の間、キャパシタは完全な電荷を維持する。ライン電力が失われると、スイッチ構成を用いて、キャパシタからの電力をスイッチして照明構成を駆動することができる。
【００１７】
図８は、本発明によるパッケージ３００又は５００等の最大６つのＬＥＤ照明パッケージのためのスマート制御システム８００を示している。制御システム８００は、６つのＬＥＤ照明パッケージ８１０Ａ、８１０Ｂ、８１０Ｃ、８１０Ｄ、８１０Ｅ、及び８１０Ｆのうちの１つ又は複数に選択的に電力を加えて６つのＬＥＤ照明パッケージのうちの１つ又は複数の輝度を変化させるために用いることができる。輝度調節の間、活性化されたＬＥＤ照明パッケージを合わせて調節して、必要に応じて補助照明を与えるように又は必要に応じて異なる水準のアンビエント照明を与えるように、同一の輝度水準を選択的に出力することができる。
【００１８】
制御システム８００は、最大６つランプ・アセンブリ８１０Ａ〜８１０Ｆのそれぞれに対する６つのＤＣ電源と、電位差計８２０と、イーサネット（登録商標）制御リレースイッチ（ｒｅｌａｙ  ｓｗｉｔｃｈ）とを備える。各電源は、照明パッケージ３００若しくは５００又はそのようなパッケージの組み合わせとすることができる対応するＬＥＤ照明パッケージ８１０Ａ〜８１０Ｆに電力を供給する。簡潔性のため、照明パッケージ８１０Ａのための電源１つのみをここで詳細に説明するが、照明パッケージ８１０Ｂ〜８１０Ｆのための電源を同様にすることができ、同様または同一の装置を用いることができる。あるいは、パッケージ８１０Ｂ〜８１０Ｆのための電源に、電位差計８２０と通信することができる限り、パッケージ８１０Ａのための電源と異なり、かつ互いに異なる装置を使用することができる。照明パッケージ８１０Ａ〜８１０Ｆのための電源は、ＰｏｗｅｒＳｕｐｐｌｙ１により製造されるモデルＰＳ１−１５０Ｗ−３６等の、適切なワットを有する定電流源とすることができる。電源は、イーサネット（登録商標）制御リレースイッチ８３０に電気的に接続された正ＤＣ出力端子とグランドに電気的に接続された負ＤＣ出力端子とを有する。電源はまた、電位差計８２０に電気的に接続されたアナログ制御ポート８１５等のアナログ制御ポートを有する。電位差計８２０は、好ましくはイーサネット（登録商標）制御ポートを備え、好ましくはワイヤレスルータ８４０に接続されている。電位差計８２０は良く知られており、統合されたイーサネット（登録商標）接続を有する、一般に入手可能な１キロオーム、１ワットの電位差計を含む。イーサネット（登録商標）制御リレースイッチ８３０は、出力ポート８２５等の少なくとも６つの出力ポートを備える。各出力ポートは、対応するＬＥＤ照明パッケージに電気的に接続されている。イーサネット（登録商標）制御リレースイッチ８３０も、ワイヤレスルータ８４０に好ましくは接続されたイーサネット（登録商標）（制御）ポート８３５を備える。イーサネット（登録商標）制御リレースイッチ８３０は、６Ｂｉｔ  Ｉｎｃｏｒｐｏｒａｔｅｄにより製造される、６つの１０アンプ・リレーを有するＳｍａｒｔ  Ｒｅｌａｙ  Ｃｏｎｔｒｏｌｌｅｒとすることができる。ワイヤレスアダプタを有するラップトップ８５０は、ワイヤレスルータ８４０とワイヤレスに通信して、１又は複数のＬＥＤ照明パッケージに選択的に電源を供給するためのイーサネット（登録商標）制御リレースイッチ８３０、若しくはＬＥＤ照明パッケージの輝度レベルを合わせて変化させるための電位差計８２０のいずれか、又はその両方を制御する。
【００１９】
ランプ・アセンブリ８１０Ａ〜８１０Ｆの電源は、ＡＣ電源（図示せず）からの入力を受け取る。ＡＣ電源は、２０アンペア（Ａ）で１２０ボルト（Ｖ）、又は２０Ａで２２０Ｖ〜２４０Ｖの範囲を供給することができる。入力ＡＣ電源は、５０ヘルツと６０ヘルツとの間で動作する。ＬＥＤ照明パッケージ３００及び５００を参照すると、ランプ・アセンブリ８１０Ａ〜８１０Ｆの電源の出力電力は、それらのアセンブリのＤＣ動作状態に合致するか、又は、２０個の直列に接続されたＬＥＤからなる、各列が電気的に並列に接続された最大６つの列に電力を供給するように設計されている。一般的に、ＬＥＤの動作範囲は、約３５０ｍＡの定電流を受け取るようになっている。
【００２０】
動作中、イーサネット（登録商標）制御リレースイッチ８３０は、図８に示されたラップトップ又はプログラムされたスマート照明コンピュータシステム８５０により制御される。加えて、光学センサ、運動センサ、内界（ｉｎｔｅｒｎａｌ）センサ、等のセンサ８１２Ａ〜Ｆは、各照明アセンブリ８１０Ａ〜８１０Ｆに関連付けられている。電位差計は、手動で制御されるか、又はコンピュータシステム８５０により制御され、その結果、電源の出力電圧を変化させて、ＬＥＤ照明パッケージ８１０Ａ〜８１０Ｆの出力を同時に変化させる。ＬＥＤ照明パッケージのリレー制御および輝度制御の組み合わせは、有利な調整可能性を実現する。あるいは、ソフトウェア制御下のコンピュータシステム８５０は、電位差計８２０及びイーサネット（登録商標）制御リレースイッチ８３０の両方を制御して、それによりＬＥＤ照明パッケージ８１０Ａ〜８１０Ｆが、感知されたアンビエント光の状態に適合された照明を発するようにすることができる。スマート非常照明も設けることができる。
【００２１】
例として、６つの照明パッケージのうちの３つ８１０Ａ〜８１０Ｃは、外部光源がない廊下に沿って分布させ、他の３つのパッケージ８１０Ｄ〜８１０Ｆは、多くの窓を有する大きな角部屋に光を供給することができる。天気の良い日に電力が失われた場合、光学センサとして実装されたセンサ８１２Ａ〜８１２Ｃは、廊下が暗くなったことを感知し、ついでそれらの入力が電力ロスの検知とともに利用されて、非常出口照明パッケージ８１０Ａ〜８１０Ｃを提供するために電池モードにスイッチする。逆に、角部屋のセンサ８１２Ｄ〜８１２Ｆは、十分な外部光を感知し、そのため、パッケージ８１０Ｄ〜８１０Ｆは、ＡＣ電力が失われたとしても点灯する必要がない。同様の停電が夜に生じた場合は、パッケージ８１０Ｄ〜８１０Ｆも点灯する。
【００２２】
さらなる例として、人間の運動を検出するために運動検出器を使用して、予め定めた時間の間、検出された運動の近傍においてパッケージによる照明を提供してもよい。本発明は、非常照明の状況に対する高い柔軟性を可能にする。
【００２３】
図９は、本発明による非常補助照明を提供するプロセス９００を示している。ステップ９０２で、非常照明を有するＬＥＤパッケージにより、電力ロスが検出される。ステップ９０４で、ＬＥＤパッケージは、通常のアンビエント照明モードから、電池により電力が供給される補助照明モードにスイッチされる。ステップ９０６で、ＬＥＤパッケージは、電池の残量が少なくなるか電力が戻るまで補助照明を提供する。電力ロスを検出することに加えて、ステップ９０４においてモードをスイッチすることの前兆となるさらなる条件は、予め定めた閾値未満に光レベルが低下することの検出とすることができる。
【００２４】
本発明は、特定のパッケージの詳細を含む現在好ましい実施形態の様々な態様の文脈において開示されているが、本発明は、特許請求の範囲と一貫した異なるパッケージ寸法およびＬＥＤモジュール構成を含む他の環境に適用することができることが理解されるだろう。
【図面の簡単な説明】
【００２５】
【図１】蛍光灯を光源として用いる照明器具を示す図である。
【図２】蛍光器具が通常の条件下で部屋を照らし、通常の電力が失われたときに別個の付属の非常照明器具が光を提供する一般的な従来技術の非常照明構成を示す図である。
【図３】本発明による統合された非常照明を有する１フィート×１フィートのＬＥＤ照明パッケージの上面図である。
【図４】図３の照明パッケージの底面図である。
【図５】本発明による統合された非常照明を有する２フィート×２フィートのＬＥＤ照明パッケージの上面図である。
【図６】図５の照明パッケージの底面図である。
【図７】図３の照明パッケージと共に使用するのに適した、本発明による補助照明ドライバ及び充電回路を示す図である。
【図８】複数の統合された照明システム、たとえば図３〜６のもの、のための制御システムである。
【図９】本発明による非常照明プロセスの流れ図である。
【図１】
2008270212.tif 000003
【図２】
2008270212.tif 000004
【図３】
2008270212.tif 000005
【図４】
2008270212.tif 000006
【図５】
2008270212.tif 000007
【図６】
2008270212.tif 000008
【図７】
2008270212.tif 000009
【図８】
2008270212.tif 000010
【図９】
2008270212.tif 000011
【外国語明細書】
2008270212000001.pdf